(57)【要約】【課題】簡単な構成でありながら使用者の意図を反映しつつ省電力化を図ることのできる電子機器及び電子機器の制御方法を提供する。【解決手段】ソーラーパネルの光遮蔽による発電停止時間の長さを判別し、（１）３秒以上であると判断された場合（例：腕時計１が裏返しで放置されている場合やユーザの衣服の袖により腕時計１が隠れている場合が想定）、（２）２秒未満であると判断された場合（例：ソーラーパネル７が偶然に遮光された場合と想定）は、ユーザにはタッチパネルのオン意図が「なし」とそれぞれ判定し、（３）２秒以上、３秒以下であると判断された場合（例：ユーザが意図的に腕時計１に手を翳しソーラーパネル７が遮光された場合と想定）は、タッチパネルのオン意図が「あり」と判定し、タッチパネルの電源をオンにする。このために、ユーザが腕時計１に手を翳すという自然な動きのなかで、タッチパネル６の電源を立ち上げることができる。【選択図】図３
2010085345.tif 000002
【特許請求の範囲】
【請求項１】
受光して発電する発電手段と、
この発電手段により発電される電力を蓄電する蓄電手段と、
この蓄電手段に蓄電された電力を利用して動作する動作手段と、
前記発電手段の発電停止継続時間を検出する発電検出手段と、
この発電検出手段により検出された前記発電停止継続時間が予め定められている時間となったか否かを判断する判断手段と、
この判断手段により、前記発電停止継続時間が予め定められている時間となったと判断された際に、前記動作手段への電力供給を行う制御手段と、
を備えることを特徴とする電子機器。
【請求項２】
前記動作手段は、前記蓄電手段に蓄電された電力を利用して動作し、使用者により操作される操作手段であることを特徴とする請求項１記載の電子機器。
【請求項３】
前記操作手段の電源オン状態における非操作継続時間を検出する操作検出手段を更に備え、
前記判断手段は、前記操作検出手段により検出された前記非操作時間が予め定められている時間となったか否かを更に判断し、
前記制御手段は、前記判断手段により、前記非操作継続時間が予め定められている時間となったと判断された際に、前記動作手段の電源をオフ動作させることを特徴とする請求項２記載の電子機器。
【請求項４】
前記操作検出手段は、前記操作手段の電源オン状態における操作及び前記非操作継続時間を検出し、
前記判断手段は、
前記操作検出手段により前記操作が検出された場合には前記非操作継続時間が予め定められている第１の時間となったか否かを判断し、前記操作が検出されない場合には前記非操作継続時間が予め定められている第２の時間となったか否かを判断し、
前記制御手段は、前記判断手段により、前記非操作継続時間が前記第１又は第２の時間となったと判断された際に、前記動作手段の電源をオフ動作させることを特徴とする請求項２記載の電子機器。
【請求項５】
前記発電検出手段は、更に前記操作手段の電源オン状態において前記発電手段の発電及び前記発電停止継続時間を検出し、
前記判断手段は、
前記発電検出手段により前記発電が検出されない場合に、前記発電停止継続時間が予め定められている時間となったか否かを判断し、
前記制御手段は、前記判断手段により、前記発電停止継続時間が前記時間となったと判断された際に、前記動作手段の電源をオフ動作させることを特徴とする請求項２記載の電子機器。
【請求項６】
前記発電検出手段は、更に前記操作手段の電源オン状態において前記発電手段の発電及び前記発電停止継続時間を検出し、
前記判断手段は、
前記発電検出手段により前記発電が検出されない場合には、前記発電停止継続時間が予め定められている第１の時間となったか否かを判断し、前記発電が検出された場合には、前記発電停止継続時間が予め定められている第２の時間となったか否かを判断し、
前記制御手段は、前記判断手段により、前記発電停止継続時間が前記第１又は第２の時間となったと判断された際に、前記動作手段の電源をオフ動作させることを特徴とする請求項２記載の電子機器。
【請求項７】
前記発電検出手段は、更に前記操作手段の電源オン状態において前記発電手段の発電及び前記発電停止継続時間を検出し、
前記操作検出手段は、前記操作手段の電源オン状態における操作及び前記非操作継続時間を検出し、
前記判断手段は、
前記発電検出手段により前記発電が検出されない場合であって、前記操作検出手段により前記操作が検出されない場合には、前記非操作継続時間が予め定められている第１の時間となったか否かを判断し、
前記発電検出手段により前記発電が検出された場合であって、前記操作検出手段により前記操作が検出されない場合には、前記非操作継続時間が予め定められている第２の時間となったか否かを判断し、
前記制御手段は、前記判断手段により、前記非操作継続時間が前記第１又は第２の時間となったと判断された際に、前記動作手段の電源をオフ動作させることを特徴とする請求項２記載の電子機器。
【請求項８】
前記第１の時間は、前記第２の時間よりも短いことを特徴とする請求項４、５又は６記載の電子機器。
【請求項９】
前記動作手段は、タッチパネルであることを特徴とする請求項１から７にいずれか記載の電子機器。
【請求項１０】
受光して発電する発電手段と、この発電手段により発電される電力を蓄電する蓄電手段と、この蓄電手段に蓄電された電力を利用して動作する動作手段とを備える電子機器における制御方法であって、
前記発電手段の発電停止継続時間を検出する検出ステップと、
この検出ステップにより検出された前記発電停止継続時間が予め定められている時間となったか否かを判断する判断ステップと、
この判断ステップにより、前記発電停止継続時間が予め定められている時間となったと判断された際に、前記動作手段の電源をオン動作させる制御ステップと、
を含むことを特徴とする電子機器の制御方法。
【発明の詳細な説明】
【技術分野】
【０００１】
本発明は、電子機器及び電子機器の制御方法に関するものである。
【背景技術】
【０００２】
従来より、特に電池を電源として用いる電子機器においては、電池の寿命をより長期化すべく種々の省電力技術が用いられている。例えば、特許文献１には、夜間等の所定の時間帯においては、当該機器における表示項目等の機能を低下させることにより省電力化を図る省電力技術が開示されている（第１の従来技術）。
【０００３】
また、特許文献２には、人体感知センサにより人体を感知した場合のみ、照明することにより省電力化は図る省電力技術が開示されている（第２の従来技術）。
【特許文献１】特開２００５−２１４８８２号公報
【特許文献２】特開２００３−１１９８５４号公報
【発明の開示】
【発明が解決しようとする課題】
【０００４】
しかしながら、今日においてはユーザの生活パターンは多様であることから、第１の従来技術のように所定の時間帯において機能を低下させると、ユーザによっては自己が機器を使用する使用時間帯と、機器の機能が低下する時間帯とが合致してしまい、ユーザが不便を強いられることとなってしまう。
【０００５】
また、第２の従来技術の場合、前述のようなユーザに不便を強いることはない反面、別途センサが必要となる。よって、センサを実装するために機器のデザインが制約されたり、構造が複雑化したりしてコスト的なデメリットが生ずる。
【０００６】
本発明は、かかる従来の課題に鑑みてなされたものであり、簡単な構成でありながら使用者の意図を反映しつつ省電力化を図ることのできる電子機器及び電子機器の制御方法を提供することを目的とする。
【課題を解決するための手段】
【０００７】
前記課題を解決するため請求項１記載の発明に係る電子機器にあっては、受光して発電する発電手段と、この発電手段により発電される電力を蓄電する蓄電手段と、この蓄電手段に蓄電された電力を利用して動作する動作手段と、前記発電手段の発電停止継続時間を検出する発電検出手段と、この発電検出手段により検出された前記発電停止継続時間が予め定められている時間となったか否かを判断する判断手段と、この判断手段により、前記発電停止継続時間が予め定められている時間となったと判断された際に、前記動作手段への電力供給を行う制御手段とを備えることを特徴とする。
【０００８】
また、請求項２記載の発明に係る電子機器にあっては、前記動作手段は、前記蓄電手段に蓄電された電力を利用して動作し、使用者により操作される操作手段であることを特徴とする。
【０００９】
また、請求項３記載の発明に係る電子機器にあっては、前記操作手段の電源オン状態における非操作継続時間を検出する操作検出手段を更に備え、前記判断手段は、前記操作検出手段により検出された前記非操作時間が予め定められている時間となったか否かを更に判断し、前記制御手段は、前記判断手段により、前記非操作継続時間が予め定められている時間となったと判断された際に、前記動作手段の電源をオフ動作させることを特徴とする。
【００１０】
また、請求項４記載の発明に係る電子機器にあっては、前記操作検出手段は、前記操作手段の電源オン状態における操作及び前記非操作継続時間を検出し、前記判断手段は、前記操作検出手段により前記操作が検出された場合には前記非操作継続時間が予め定められている第１の時間となったか否かを判断し、前記操作が検出されない場合には前記非操作継続時間が予め定められている第２の時間となったか否かを判断し、前記制御手段は、前記判断手段により、前記非操作継続時間が前記第１又は第２の時間となったと判断された際に、前記動作手段の電源をオフ動作させることを特徴とする。
【００１１】
また、請求項５記載の発明に係る電子機器にあっては、前記発電検出手段は、更に前記操作手段の電源オン状態において前記発電手段の発電及び前記発電停止継続時間を検出し、前記判断手段は、前記発電検出手段により前記発電が検出されない場合に、前記発電停止継続時間が予め定められている時間となったか否かを判断し、前記制御手段は、前記判断手段により、前記発電停止継続時間が前記時間となったと判断された際に、前記動作手段の電源をオフ動作させることを特徴とする。
【００１２】
また、請求項６記載の発明に係る電子機器にあっては、前記発電検出手段は、更に前記操作手段の電源オン状態において前記発電手段の発電及び前記発電停止継続時間を検出し、前記判断手段は、前記発電検出手段により前記発電が検出されない場合には、前記発電停止継続時間が予め定められている第１の時間となったか否かを判断し、前記発電が検出された場合には、前記発電停止継続時間が予め定められている第２の時間となったか否かを判断し、前記制御手段は、前記判断手段により、前記発電停止継続時間が前記第１又は第２の時間となったと判断された際に、前記動作手段の電源をオフ動作させることを特徴とする。
【００１３】
また、請求項７記載の発明に係る電子機器にあっては、前記発電検出手段は、更に前記操作手段の電源オン状態において前記発電手段の発電及び前記発電停止継続時間を検出し、前記操作検出手段は、前記操作手段の電源オン状態における操作及び前記非操作継続時間を検出し、前記判断手段は、前記発電検出手段により前記発電が検出されない場合であって、前記操作検出手段により前記操作が検出されない場合には、前記非操作継続時間が予め定められている第１の時間となったか否かを判断し、前記発電検出手段により前記発電が検出された場合であって、前記操作検出手段により前記操作が検出されない場合には、前記非操作継続時間が予め定められている第２の時間となったか否かを判断し、前記制御手段は、前記判断手段により、前記非操作継続時間が前記第１又は第２の時間となったと判断された際に、前記動作手段の電源をオフ動作させることを特徴とする。
【００１４】
また、請求項８記載の発明に係る電子機器にあっては、前記第１の時間は、前記第２の時間よりも短いことを特徴とする。
【００１５】
また、請求項９記載の発明に係る電子機器にあっては、前記動作手段は、タッチパネルであることを特徴とする。
【００１６】
また、請求項１０記載の発明に係る電子機器の制御方法にあっては、受光して発電する発電手段と、この発電手段により発電される電力を蓄電する蓄電手段と、この蓄電手段に蓄電された電力を利用して動作する動作手段とを備える電子機器における制御方法であって、前記発電手段の発電停止継続時間を検出する検出ステップと、この検出ステップにより検出された前記発電停止継続時間が予め定められている時間となったか否かを判断する判断ステップと、この判断ステップにより、前記発電停止継続時間が予め定められている時間となったと判断された際に、前記動作手段の電源をオン動作させる制御ステップと、を含むことを特徴とする。
【発明の効果】
【００１７】
本発明によれば、使用者の意図を反映しつつ省電力化を図ることができる。しかも、別途センサを用いることなく、発電手段を有効利用して省電力制御を行うことから、簡単な構成でありながら使用者の意図を反映しつつ省電力化を図ることができるという利点がある。
【発明を実施するための最良の形態】
【００１８】
以下、本発明の一実施の形態を図に従って説明する。
図１は、本発明の一実施の形態に係る腕時計１の回路構成を示すブロック図である。この回路には、各部を制御するＣＰＵ２を中心にして構成されている。ＣＰＵ２には、カウンタ２１が設けられているとともに、ＲＯＭ３及びＲＡＭ４が接続されている。カウンタ２１は、カウンタＡ、カウンタＢ及びカウンタＣとで構成されているが、カウンタＣは後述する第３の実施の形態においてのみ用いる。ＲＯＭ３には、ＣＰＵ２が動作するためのシステムプログラムや後述するフローチャートに示す処理等を実行するためのプログラム等が記憶されている。ＲＡＭ４は、各種データ記憶するメモリとして使用されるとともに、ＣＰＵ２のワークエリアとして使用される。
【００１９】
さらに、ＣＰＵ２には、表示部５、タッチパネル６、ソーラーパネル７、時計部８、電池９が接続されている。表示部５はＬＣＤ等で構成され、現在時刻等を表示する。タッチパネル６は、パネル面を順次スキャンしてタッチ位置と検出し、タッチ位置情報をＣＰＵ２に供給するものであり、その電源のオン・オフはＣＰＵ２により制御される。ソーラーパネル７は、所定照度以上の光を感知して発電動作して電力を出力し、この出力された電力はＣＰＵ２を介して電池９に蓄電される。時計部８は、所定周波数のクロックを発生するとともに、このクロックに基づき時刻データを生成してＣＰＵ２に供給する。電池９は、各部に必要な電力を供給するとともに、前記ソーラーパネル７からの電力を蓄電可能な二次電池である。
【００２０】
（第１の実施の形態）
以上の構成に係る本実施の形態において、ＣＰＵ２は前記ＲＯＭ３に記憶されているプログラムに基づき、図２のフローチャートに示すように処理を実行する。
すなわち、タッチパネル６の電源をＯＦＦにするとともに、カウンタＡを「０」にリセットする（ステップＳ１０１）。また、このようにタッチパネル６の電源をＯＦＦにした使用状態である通常使用時におけるソーラーパネル７からの発電の有無を常時検出する（ステップＳ１０２）。
【００２１】
次に、発電が検出されたか否か、つまりソーラーパネル７に外部光が照射されることにより、ソーラーパネル７が発電中であるか否かを判断する（ステップＳ１０３）。ソーラーパネル７が発電中であると判断された場合には、ステップＳ１０１に戻る。したがって、ユーザの腕に装着された腕時計１が、たとえば、当該ユーザの衣服の袖により遮蔽されることなく、外部光がソーラーパネル７に照射されている状態においては、ステップＳ１０１〜Ｓ１０３のループが繰り返される。これにより、カウンタＡは「０」の状態に維持され、また、ソーラーパネル７で発電された電力は、電池９に充電されていく。
【００２２】
前記ループが実行されている状態で、ソーラーパネル７への光が遮蔽されると当該ソーラーパネル７による発電が停止することから、ステップＳ１０３の判断がＮＯとなる。したがって、ステップＳ１０３からステップＳ１０４に進み、１秒経過するまで待機する。
【００２３】
１秒が経過したならば、再度ソーラーパネル７が発電中であるか否かを判断する（ステップＳ１０３）。ソーラーパネル７への光が遮蔽されていて、ソーラーパネル７が発電中でないと判断された場合には（ステップＳ１０５→ＮＯ）、カウンタＡをカウントアップさせる（ステップＳ１０６）。このカウントアップさせたカウンタＡの値が３秒以上であることを示す「３」以上となったか否かを判断し（ステップＳ１０７）、カウンタＡ＞３となっていないと判断された場合には、ステップＳ１０４に戻る。
【００２４】
したがって、カウンタＡ＞３となるまで、ステップＳ１０４→Ｓ１０５→Ｓ１０６→Ｓ１０７→Ｓ１０４のループが１秒間隔で繰り返されることとなる。そして、カウンタＡ＞３となると、つまりソーラーパネル７の発電が停止してから３秒以上経過したと判断された場合には、ステップＳ１０１に戻って、タッチパネル６の電源オフ状態を継続する。
【００２５】
このようにソーラーパネル７の発電が３秒以上継続して停止する場合とは、ユーザがタッチパネル６をオンにする意図でソーラーパネル７への光を遮蔽した場合（たとえば、ユーザのタッチパネル６へのタッチ意図に伴って、手指によりソーラーパネル７が遮蔽された場合）ではなく、ソーラーパネル７がユーザの衣服の袖により隠れる等の光遮蔽により、ユーザのタッチパネル６のオン意図とは無関係にソーラーパネル７が隠蔽された場合であると推定することができる。
よって、このようにユーザのタッチパネル６のオン意図とは無関係にソーラーパネル７が隠蔽されたと推定された場合には、ステップＳ１０１に戻ってタッチパネル６の電源オフ状態を継続する。
【００２６】
また、前記ステップＳ１０４→Ｓ１０５→Ｓ１０６→Ｓ１０７→Ｓ１０４のループの実行中にソーラーパネル７の発電が検出された場合には（ステップＳ１０５→ＹＥＳ）、ステップＳ１０５からステップＳ１０８に進み、カウンタＡの値が２秒以上であることを示す「２」以上であるか否かを判断する。このステップＳ１０８の判断がＮＯであると判断された場合は、ソーラーパネル７への光が遮蔽が２秒未満であった場合である。
【００２７】
このようにソーラーパネル７の発電が２秒未満である場合も、ユーザがタッチパネル６をオンにする意図でソーラーパネル７への光を遮蔽した場合ではなく、ソーラーパネル７がユーザの衣服の袖により隠れる等の光遮蔽により、偶然にソーラーパネル７が隠蔽された場合であると推定することができる。
よって、この場合にも、ステップＳ１０１に戻ってタッチパネル６の電源オフ状態を継続する。
【００２８】
しかし、ステップＳ１０８の判断がＹＥＳであった場合は、ソーラーパネル７の発電が２秒以上かつ３秒以下である。そして、このようにソーラーパネル７の発電が２秒以上かつ３秒以下である場合は、ユーザがタッチパネル６をオンする意図、すなわち、タッチする意図に従って、手指により、ソーラーパネル７への光が遮蔽された場合であると推定する。
【００２９】
つまり、本実施の形態においては、図３に示すように、ＣＰＵ２は、ソーラーパネル７の光遮蔽による発電停止時間が
（１）３秒以上である場合（例：腕時計１が裏返しで放置されている場合やユーザの衣服の袖により腕時計１が隠れている場合）が想定されることから、ユーザはタッチパネルのオン意図が「なし（×）」と判定する。
（２）２秒未満である場合（例：ソーラーパネル７が偶然に遮光された場合）が想定されることから、ユーザはタッチパネルのオン意図が「なし（×）」と判定する。
（３）２秒以上、３秒以下である場合（例：ユーザが意図的に腕時計１に手を翳し、ソーラーパネル７が遮光された場合）が想定されることから、タッチパネルのオン意図が「あり（○）」と判定する。
【００３０】
そして、ステップＳ１０８の判断がＹＥＳであって、前記（３）である場合には、タッチパネル６の電源をオンにするとともに、カウンタＢを「０」にリセットする（ステップＳ１０９）。
【００３１】
したがって、タッチパネル６を操作する前段階として、ユーザが腕時計１に手を翳すという自然な動きのなかで、タッチパネル６の電源を立ち上げることができる。また、特別なスイッチやセンサも必要ないので、腕時計１のデザインに制約を与えることがない。
【００３２】
次に、ＣＰＵ２は、タッチパネル６をスキャンしてタッチ操作があった否かを判断する（ステップＳ１１０）。操作がない場合には、１秒経過したか否かを判断し（ステップＳ１１１）、１秒経過したならばカウンタＢの値をカウントアップさせる（ステップＳ１１２）。引き続き、このカウントアップさせたカウンタＢの値が「５」を超えたか否かを判断し（ステップＳ１１３）、カウンタＢ＞５となっていない場合には、ステップＳ１１０に戻る。
【００３３】
したがって、タッチパネル６の電源がオンされた後、タッチ操作が行われないと、ステップＳ１１０〜ステップＳ１１３のループが繰り返される。その結果、タッチパネル６の非操作が５秒以上継続すると、カウンタＢ＞５となってステップＳ１１３の判断がＹＥＳとなる。よって、ステップＳ１１３からステップＳ１１４に進みカウンタＢを「０」にリセットした後、ステップＳ１０１に戻ってタッチパネル６の電源をオフにする。
【００３４】
つまり、本実施の形態においては、タッチパネル６の電源を投入後、５秒以上タッチパネル６の操作が行われない場合、タッチパネル６を操作する意思なしと見なして、タッチパネル６の電源をオフにする。したがって、前記（３）であることによりタッチパネル６の電源をオンにした後においても、不要なタッチパネル６のオン状態の継続を未然に防止して、省電力効果を得ることができる。
【００３５】
他方、ステップＳ１１０での判断がＹＥＳであって、タッチパネル６の電源を投入後、５秒以内にタッチパネル６の操作が行われた場合には、ステップＳ１１０からステップＳ１１５に進む。そして、タッチパネル６のタッチ位置に応じて腕時計１の機能を制御するとともに、カウンタＢを「０」にリセットする（ステップＳ１１５）。さらに、タッチパネル６にての操作があったか否かを判断し（ステップＳ１１６）、操作がある毎にタッチ位置に応じて腕時計１の機能を制御する（ステップ１１５）。
【００３６】
しかし、その後タッチパネル６の操作がない場合には（ステップＳ１１６→ＮＯ）、１秒経過したか否かを判断し（ステップＳ１１７）、１秒経過したと判断したならばカウンタＢの値をカウントアップさせる（ステップＳ１１８）。引き続き、このカウントアップさせたカウンタＢの値が「３０」を超えたか否かを判断し（ステップＳ１１９）、カウンタＢ＞３０となっていない場合には、ステップＳ１１６に戻る。
【００３７】
したがって、タッチパネル６の電源がオンされた後少なくとも１度はタッチ操作が行われたが、その後タッチ操作がないとと判断された場合、ステップＳ１１６〜ステップＳ１１９のループが繰り返される。その結果、タッチパネル６の非操作が３０秒以上継続すると、カウンタＢ＞３０となってステップＳ１１９の判断がＹＥＳとなる。よって、ステップＳ１１９からステップＳ１１４に進みカウンタＢを「０」にリセットした後、ステップＳ１０１に戻ってタッチパネル６の電源をオフにする。
【００３８】
つまり、本実施の形態においては、タッチパネル６の電源を投入後少なくとも１度はタッチ操作が行われたが、その後３０秒以上あらたなタッチ操作が行われない場合、タッチパネル６の操作を完了しているものと見なして、タッチパネル６の電源をオフにする。したがって、タッチパネル６の操作を完了した後におけ不要なタッチパネル６のオン状態の継続を未然に防止して、省電力効果を得ることができる。
【００３９】
なお、
（１）ステップＳ１０７におけるカウンタＡの値「３」及びこれに対応する時間「３秒」、
（２）ステップＳ１０８におけるカウンタＡの値「２」及びこれに対応する時間「２秒」、
（３）ステップＳ１１３におけるカウンタＢの値「５」及びこれに対応する時間「５秒」、
（４）ステップＳ１１９におけるカウンタＢの値「３０」及びこれに対応する時間「３０秒」
等は、一例であってこれらの値及び秒は、より多くてもより少なくてもよい。また、ユーザの設定操作によりこれらの値を任意に設定できるようにしてもよく、これによりユーザの使い勝手を向上させることができる。
【００４０】
（第２の実施の形態）
図４は、本発明の第２の実施の形態における処理手順を示すフローチャートである。このフローチャートにおいて、ステップＳ２０１〜Ｓ２１０の処理は、図２に示した第１の実施の形態におけるフローチャートのステップＳ１０１〜Ｓ１１０と同一の処理であるので、説明を省略する。
【００４１】
そして、ステップＳ２１０においては、タッチパネル６をスキャンしてタッチ操作があった否かを判断する（ステップＳ２１０）。操作がないと判断された場合には、１秒経過したか否かを判断し（ステップＳ２１１）、１秒経過したならば発電が検出されたか否か、つまりソーラーパネル７に外部光が照射されることにより、ソーラーパネル７が発電中であるか否かを判断する（ステップＳ２１３）。ソーラーパネル７が発電中でないと判断された場合には、再度タッチパネル６をスキャンしてタッチ操作があった否かを判断する（ステップＳ２１４）。操作があったと判断された場合には、後述するステップＳ２１２に進み、操作がないと判断された場合には１秒経過したか否かを判断する（ステップＳ２１４）。１秒経過したならば、カウンタＢの値をカウントアップさせる（ステップＳ２１６）。引き続き、このカウントアップさせたカウンタＢの値が「２」を超えたか否かを判断し（ステップＳ２１７）、カウンタＢ＞２となっていないと判断された場合には、後述するステップＳ２１２に戻る。
【００４２】
しかし、ステップＳ２１７の判断がＹＥＳであって、カウンタＢ＞２となったと判断された場合には、ステップＳ２１７からステップＳ２１８に進みカウンタＢを「０」にリセットした後、ステップＳ２０１に戻ってタッチパネル６の電源をオフにする。
【００４３】
このとき、図４に示したように、ステップＳ２１４、Ｓ２１５、Ｓ２１６と進む場合は、「光遮蔽中」であって、ソーラーパネル７による発電が行われていない発電停止状態である。したがって、この実施の形態においては、タッチパネル６の電源を投入後（ステップＳ２０９）、２秒以上タッチパネル６の操作が行われず、かつ、ソーラーパネル７が発電停止中であると判断された場合には、タッチパネル６の電源をオフにする。したがって、前記（３）であることによりタッチパネル６の電源をオンにした後においても、ソーラーパネル７が発電停止中における不要なタッチパネル６のオン状態の継続を未然に防止して、電池９の寿命の長期化を図ることができる。
【００４４】
他方、ステップＳ２１０での判断又はステップＳ２１４での判断がＹＥＳであって、タッチパネル６の電源を投入後、タッチパネル６の操作が行われたと判断された場合には、ステップＳ２１２に進む。そして、タッチパネル６のタッチ位置に応じて腕時計１の機能を制御するとともに、カウンタＢを「０」にリセットする（ステップＳ２１２）。さらに、前述のように、ソーラーパネル７に外部光が照射されることにより、ソーラーパネル７が発電中であるか否かを判断する（ステップＳ２１３）。
【００４５】
発電中であるならば（ステップＳ２１３→ＹＥＳ）、カウンタＢを「０」にリセットする（ステップＳ２１９）。しかる後に、再度タッチパネル６をスキャンしてタッチ操作があった否かを判断し（ステップＳ２２０）、タッチ操作があったと判断された場合には、前記ステップＳ２１２に戻って、操作がある毎にタッチ位置に応じて腕時計１の機能を制御する。しかし、タッチパネル６の操作がないと判断された場合には（ステップＳ２２０→ＮＯ）、１秒経過したか否かを判断し（ステップＳ２２１）、１秒経過したならばステップＳ２１３に戻る。
【００４６】
このとき、図４に示したように、ステップＳ２１３、Ｓ２１９と進む場合は、ソーラーパネル７よる発電に伴って電池９が「充電中」の状態である。したがって、この実施の形態においては、タッチパネル６の電源を投入後（ステップＳ２０９）、タッチパネル６の操作がなくても、ソーラーパネル７による発電に伴って電池９へ充電中であると判断された場合には、タッチパネル６の電源オンが継続される。
【００４７】
したがって、ソーラーパネル７による発電に伴って電池９に充電がなされる電力に余裕のある状態においては、タッチパネル６のオンを継続することにより、電力負担を悪化させることなく、タッチ操作に備えてタッチパネル６をオン状態にしておくことができる。
【００４８】
なお、
（１）ステップＳ２０７におけるカウンタＡの値「３」及びこれに対応する時間「３秒」、
（２）ステップＳ２０８におけるカウンタＡの値「２」及びこれに対応する時間「２秒」、
（３）ステップＳ２１７におけるカウンタＢの値「２」及びこれに対応する時間「２秒」、
等は、一例であってこれらの値は、より多くても少なくてもよい。また、ユーザの設定操作によりこれらの値を任意に設定できるようにしてもよく、これによりユーザの使い勝手を向上させることができる。
【００４９】
（第３の実施の形態）
図５は、本発明の第３の実施の形態における処理手順を示すフローチャートである。このフローチャートにおいて、ステップＳ３０１〜Ｓ３１０の処理は、図２に示した第１の実施の形態におけるフローチャートのステップＳ１０１〜Ｓ１１０と同一の処理であるので、説明を省略する。
【００５０】
そして、ステップＳ３１０においては、タッチパネル６をスキャンしてタッチ操作があった否かを判断する（ステップＳ３１０）。操作がないと判断された場合には、１秒経過したか否かを判断し（ステップＳ３１１）、１秒経過したならばカウンタＢの値をカウントアップさせる（ステップＳ３１２）。引き続き、このカウントアップさせたカウンタＢの値が「５」を超えたか否かを判断し（ステップＳ３１３）、カウンタＢ＞５となっていないと判断された場合には、ステップＳ３１０に戻る。
【００５１】
したがって、タッチパネル６の電源がオンされた後、タッチ操作が行われないと、ステップＳ３１０〜ステップＳ３１３のループが繰り返される。その結果、タッチパネル６の非操作が５秒以上継続すると、カウンタＢ＞５となってステップＳ３１３の判断がＹＥＳとなる。よって、ステップＳ３１３からステップＳ３１４に進みカウンタＢを「０」にリセットした後、ステップＳ３０１に戻ってタッチパネル６の電源をオフにする。
【００５２】
つまり、本実施の形態においては、タッチパネル６の電源を投入後、５秒以上タッチパネル６の操作が行われないと判断された場合、タッチパネル６を操作する意思なしと見なして、タッチパネル６の電源をオフにする。したがって、前記（３）であることによりタッチパネル６の電源をオンにした後においても、不要なタッチパネル６のオン状態の継続を未然に防止して、省電力効果を得ることができる。
【００５３】
他方、ステップＳ３１０での判断がＹＥＳであって、タッチパネル６の電源を投入後、５秒以内にタッチパネル６の操作が行われたと判断された場合には、ステップＳ３１０からステップＳ３１５に進む。そして、タッチパネル６のタッチ位置に応じて腕時計１の機能を制御するとともに、カウンタＢ及びカウンタＣを「０」にリセットする（ステップＳ３１５）。次に、発電が検出されたか否か、つまりソーラーパネル７に外部光が照射されることにより、ソーラーパネル７が発電中であるか否かを判断する（ステップＳ３１６）。
【００５４】
ソーラーパネル７が発電中でないと判断された場合には、再度タッチパネル６をスキャンしてタッチ操作があった否かを判断する（ステップＳ３１７）。操作があったと判断された場合には、前記ステップＳ３１５に戻る。しかし、操作がなかったと判断された場合には、１秒経過したか否かを判断し（ステップＳ３１８）、１秒経過したならば、カウンタＢの値をカウントアップさせる（ステップＳ３１９）。引き続き、このカウントアップさせたカウンタＢの値が「２」を超えたか否かを判断し（ステップＳ３２０）、カウンタＢ＞２となっていないと判断された場合には、前記ステップＳ３１６に戻る。
【００５５】
しかし、ステップＳ３１７の判断がＹＥＳであって、カウンタＢ＞２となったと判断された場合には、ステップＳ３２０からステップＳ３１４に進みカウンタＣを「０」にリセットした後、ステップＳ３０１に戻ってタッチパネル６の電源をオフにする。
【００５６】
このとき、図５に示したように、ステップＳ３１６〜Ｓ３２５と進む場合は、ソーラーパネル７よる発電に伴って電池９が「充電中」の状態である。したがって、この実施の形態においては、タッチパネル６の電源を投入後（ステップＳ２０９）、タッチパネル６の操作がなくても、ソーラーパネル７による発電に伴って電池９へ充電中であると判断された場合には、タッチパネル６の電源オンが３０秒間のみ継続されるが、３０秒を経過するとタッチパネル６の電源はオフにされる。
【００５７】
したがって、ソーラーパネル７による発電に伴って電池９に充電がなされる電力に余裕のある状態においては、タッチパネル６のオンを３０秒継続することにより、電力負担を悪化させることなく、タッチ操作に備えてタッチパネル６をオン状態にしておくことができるとともに、過剰かつ無用にタッチパネル６のオン状態が継続することを防止することができる。
【００５８】
なお、
（１）ステップＳ３０７におけるカウンタＡの値「３」及びこれに対応する時間「３秒」、
（２）ステップＳ３０８におけるカウンタＡの値「２」及びこれに対応する時間「２秒」、
（３）ステップＳ３１３におけるカウンタＢの値「５」及びこれに対応する時間「５秒」、
（４）ステップＳ３１９におけるカウンタＢの値「２」及びこれに対応する時間「２秒」、
（５）ステップＳ３２５におけるカウンタＣの値「３０」及びこれに対応する時間「３０秒」
等は、一例であってこれらの値は、より多くても少なくてもよい。また、ユーザの設定操作によりこれらの値を任意に設定できるようにしてもよく、これによりユーザの使い勝手を向上させることができる。
【００５９】
また、実施の形態においては、本発明を腕時計に適用した場合を示したが、これに限ることなく発電手段等を備える他の機器にも適用し得ることは勿論である。また、実施の形態においては、動作手段としてのタッチパネルの電源を制御するようにしたが、これに限ることなく、表示部等の他の動作手段の電源を制御するようにしてもよい。
【図面の簡単な説明】
【００６０】
【図１】本発明の一実施の形態に係る腕時計の回路構成を示すブロック図である。
【図２】本発明の第１の実施の形態における処理手順を示すフローチャートである。
【図３】同実施の形態におけるタッチパネルのオン意図の有無判断基準を示す説明図である。
【図４】本発明の第２の実施の形態における処理手順を示すフローチャートである。
【図５】本発明の第３の実施の形態における処理手順を示すフローチャートである。
【符号の説明】
【００６１】
１    腕時計
２    ＣＰＵ
３    ＲＯＭ
４    ＲＡＭ
５    表示部
６    タッチパネル
７    ソーラーパネル
８    時計部
９    電池
２１    カウンタ
【図１】
2010085345.tif 000003
【図２】
2010085345.tif 000004
【図３】
2010085345.tif 000005
【図４】
2010085345.tif 000006
【図５】
2010085345.tif 000007